【事件の表示】
　特許第３２７６２８１号「文字入力装置」の請求項１、３、４に係る特許に対する特許異議の申立てについて、次のとおり決定する。
【結　論】
　訂正を認める。
　特許第３２７６２８１号の請求項１、３、４に係る特許を維持する。
【理　由】
１．手続の経緯
　本件特許第３２７６２８１号の請求項１〜４に係る発明は、平成７年１２月２８日に特許出願され、平成１４年２月８日に設定登録がなされ、大木茂より特許異議の申立がなされ、取消理由通知がなされ、その指定期間内である平成１５年３月２４日に訂正請求がなされ、再度、取消理由通知がなされ、平成１５年５月２日に前記訂正請求は取り下げられると共に新たに訂正請求がなされたものである。
２．訂正の適否について
　ア．訂正の内容
　訂正事項ａ
　特許請求の範囲の請求項１を以下のように訂正する。
「【請求項１】
　複数のカーソル移動キーと、
　所定の順序で配列された複数の候補文字から所望の文字に対応した信号を入力する文字列入力手段と、
上記文字列入力手段により入力された文字列の現在の入力状態が、複数あるカーソル移動を許容しない状態のいずれであるかを判別する文字列入力状態判別手段と、
　いずれかの上記カーソル移動キーから操作信号が単独に与えられたときに、カーソル移動動作以外の複数ある文字入力に関する他の動作のうちのどの動作を実行させるかを表す操作対応動作内容を、複数あるカーソル移動を許容しない状態の種類と上記操作信号の種類との組合せ毎に記憶している動作内容記憶手段と、
　いずれかの上記カーソル移動キーから操作信号が単独に与えられたときに、当該操作信号と上記文字列入力状態判別手段で判別された現在の入力状態とで定まる、上記動作内容記憶手段に記憶されている操作対応動作内容に応じた動作を実行させる操作対応動作実行手段とを有することを特徴とする文字入力装置。」
　訂正事項ｂ
　特許請求の範囲の請求項２を以下のように訂正する。
「【請求項２】
　複数のカーソル移動キーと、
文字指定マークが指向する位置に位置している文字情報を出力する回転可能な円環状の選字ダイヤルを備えて、所望の文字に対応した信号を入力する文字列入力手段と、
　上記文字列入力手段により入力された文字列の現在の入力状態を判別する文字列入力状態判別手段と、
　上記カーソル移動キーからいずれかの操作信号が与えられたときに、カーソル移動動作を実行させるか文字入力に関する他の動作を実行させるかを表す操作対応動作内容を、文字列入力状態の種類と上記操作信号の種類との組合せ毎に記憶している動作内容記憶手段と、
　上記カーソル移動キーからいずれかの操作信号が与えられたときに、当該操作信号と上記入力状態判別手段で判別された現在の文字列入力状態とで定まる、上記動作内容記憶手段に記憶されている操作対応動作内容に応じた動作を実行させる操作対応動作実行手段とを有し、
　４種類の上記カーソル移動キーを、円環状の上記選字ダイヤルの円環内部に配設したことを特徴とする文字入力装置。」
　訂正事項ｃ
　特許明細書の段落【０００８】の記載を以下の通り訂正する。
「【課題を解決するための手段】
　かかる課題を解決するため、本発明の文字入力装置は、（１）複数のカーソル移動キーと、（２）所定の順序で配列された複数の候補文字から所望の文字に対応した信号を入力する文字列入力手段と、（３）上記文字列入力手段により入力された文字列の現在の入力状態が、複数あるカーソル移動を許容しない状態のいずれであるかを判別する文字列入力状態判別手段と、（４）いずれかの上記カーソル移動キーから操作信号が単独に与えられたときに、カーソル移動動作以外の複数ある文字入力に関する他の動作のうちのどの動作を実行させるかを表す操作対応動作内容を、複数あるカーソル移動を許容しない状態の種類と上記操作信号の種類との組合せ毎に記憶している動作内容記憶手段と、（５）いずれかの上記カーソル移動キーから操作信号が単独に与えられたときに、当該操作信号と上記文字列入力状態判別手段で判別された現在の入力状態とで定まる、上記動作内容記憶手段に記憶されている操作対応動作内容に応じた動作を実行させる操作対応動作実行手段とを有することを特徴とする。」
　イ．訂正の目的の適否、新規事項の有無及び拡張・変更の存否
　訂正事項ａについて
　この訂正事項ａは、特許請求の範囲の減縮に該当し、特許明細書の段落【００６６】〜【００７１】及び【００７５】の記載から直接的かつ一義的に導き出せる事項であるから新規事項の追加に該当せず、実質的に特許請求の範囲を拡張又は変更するものではない。
　訂正事項ｂについて
　この訂正事項ｂは、請求項２に係る発明を独立形式に記載し直したものであるから、明りょうでない記載の釈明に該当し、新規事項の追加に該当せず、実質的に特許請求の範囲を拡張又は変更するものではない。
　訂正事項ｃについて
　この訂正事項ｃは、上記訂正事項ａに整合するように特許明細書の段落【０００８】の【課題を解決するための手段】の記載を訂正するものであるから、明りょうでない記載の釈明に該当し、新規事項の追加に該当せず、実質的に特許請求の範囲を拡張又は変更するものではない。
　ウ．むすび
　以上のとおり、上記訂正は、特許法第１２０条の４第２項及び第３項で準用する特許法第１２６条第２、３項の規定に適合するので、当該訂正を認める。
３．特許異議申立について
　ア．本件発明
　訂正後の本件特許明細書の特許請求の範囲の請求項１〜４に係る発明（以下、本件発明１〜４という。）は次のとおりのものである。
「【請求項１】
　複数のカーソル移動キーと、
　所定の順序で配列された複数の候補文字から所望の文字に対応した信号を入力する文字列入力手段と、
上記文字列入力手段により入力された文字列の現在の入力状態が、複数あるカーソル移動を許容しない状態のいずれであるかを判別する文字列入力状態判別手段と、
　いずれかの上記カーソル移動キーから操作信号が単独に与えられたときに、カーソル移動動作以外の複数ある文字入力に関する他の動作のうちのどの動作を実行させるかを表す操作対応動作内容を、複数あるカーソル移動を許容しない状態の種類と上記操作信号の種類との組合せ毎に記憶している動作内容記憶手段と、
　いずれかの上記カーソル移動キーから操作信号が単独に与えられたときに、当該操作信号と上記文字列入力状態判別手段で判別された現在の入力状態とで定まる、上記動作内容記憶手段に記憶されている操作対応動作内容に応じた動作を実行させる操作対応動作実行手段とを有することを特徴とする文字入力装置。
　【請求項２】
　複数のカーソル移動キーと、
文字指定マークが指向する位置に位置している文字情報を出力する回転可能な円環状の選字ダイヤルを備えて、所望の文字に対応した信号を入力する文字列入力手段と、
　上記文字列入力手段により入力された文字列の現在の入力状態を判別する文字列入力状態判別手段と、
　上記カーソル移動キーからいずれかの操作信号が与えられたときに、カーソル移動動作を実行させるか文字入力に関する他の動作を実行させるかを表す操作対応動作内容を、文字列入力状態の種類と上記操作信号の種類との組合せ毎に記憶している動作内容記憶手段と、
　上記カーソル移動キーからいずれかの操作信号が与えられたときに、当該操作信号と上記入力状態判別手段で判別された現在の文字列入力状態とで定まる、上記動作内容記憶手段に記憶されている操作対応動作内容に応じた動作を実行させる操作対応動作実行手段とを有し、
　４種類の上記カーソル移動キーを、円環状の上記選字ダイヤルの円環内部に配設したことを特徴とする文字入力装置。
　【請求項３】　請求項１又は２に記載の文字入力装置において、
　上記カーソル移動キーからいずれかの操作信号が与えられたときに、カーソル移動動作が可能な状態と、文字入力に関する他の状態とでは、入力文字列に対する表示態様を異なるようにしたことを特徴とする文字入力装置。
　【請求項４】　請求項１又は２に記載の文字入力装置において、
　文字入力に関する他の状態とは、少なくともかな漢字変換中の未確定文字が存在する状態を含むことを特徴とする文字入力装置。」
　イ．異議申立の理由の概要
　異議申立人 大木茂は、証拠として甲第１〜３号証を提出し、本件発明１、３及び４は、特許法第２９条第２項の規定に違反して特許されたものであるから、それらの特許は取り消されるべき旨主張している。
　ウ．異議申立人が提出した甲各号証に記載の発明
　甲第１号証（取消理由通知に引用した刊行物１、日本語ワードプロセッサ「一太郎」ｒｅfｒｅｎｃｅ ｍａｎｕａｌ解説編Ｖｅｒ．３）には、次の事項が記載されている。
「基本操作としてキーボードの各キー入力の説明が、キーボードの図との対応」（６９頁から７３頁）
「図示されるＱＷＥＲＴＮキーボード（「キーボード」という。）には４つの方向のカーソルキー（「←」、「↑」、「↓」「→」）が備えられている。」（６９頁から７３頁）
「キーボードのキーが所定の順序で配列された状態が図示され、１つの文字入力用のキーには複数の候補文字が割り当てられている。」（６５頁〜６８頁）
「「Ｊ（マ）」キーローマ字漢字入力の場合は「Ｊ」キーを示します。力ナ漢字入力の場合は「マ」キーを示します。」（６６頁４及び５行）
「文字キーは、ほかのキーと組み合わせて押すことによって、１つのキーで最高４つの文字や記号を入力することができます。」（６７頁１行目、２行目）
「ほかのキーとの組み合わせにより、複数の候補文字の中から入力する文字が特定される」（６７頁、６８頁）
「文字入力モードに関する説明」（１７６頁）
「「ローマ字漢字入力」「力ナ漢字入力」「半角英数力ナ入力」「コード入力」「記号入力」の切り換えの図」（１７６頁）
「キーボードのアルファベットにしたがって、ローマ字でかなを入力する」（１７７頁１行目）
「文字入力例「さくら」に関するキー入力「Ｓ」「Ａ」「Ｋ」「Ｕ」「Ｒ」「Ａ」が示されている。」（１７７頁）
「「力ナ漢字入力」の説明が記載されており、設定された文字入力モードに従い、「キーボードの力ナに従って入力する」ことができる」（１７８頁１行目）
「「さくら」を入力する場合のキー入力「サ」「ク」「ラ」が示されている。」（１７７頁）
「カーソルキー「↓」の入力により、入力された全文のうち対象となる文節の変換が確定する。」（１８９頁右の流れ図）
「カーソルキーの入力（「↓」を２回）により、文節区切りを修正し、確定させる操作」（１９３頁の流れ図）
「「わたしはいしやいきました」と入力する。入力中の状態では、カーソルキーは移動する操作」（９９頁１行目から５行目）。
「「全文を入力後、スペースキーで変換します。先頭の文節が水色で反転表示されます。」と記載され、上記の文字入力例を変換した場合、先頭の文節にあたる「私は」の部分が水色で反転表示される。この部分は文節単位の変換が未確定の状態を表示するものであり、カーソルキー「↓」を入力することにより、当該文節部分の変換が確定し、次の文節「医者に」の部分が水色で反転表示される。この状態でカーソルキー「↓」を入力すると、この文節の変換が確定し、次の文節「行きました。」の部分が同様に水色に反転表示され文節変換の確定待ちの状態になる。」（１８９頁６行目、７行目）
「文節区切りの修正対象「はいぜんとしてふえつつあります。」が、黄色文字により表示され、この部分の先頭の１音「は」をカーソルキー「↓」の操作により変換を確定させると、その確定部分「は」が白色文字となる」（１９３頁）
「「入力と変換（蓮文節かな漢字変換）」と記載され、連文節かな漢字変換に関する処理であることが明示されている。更に、かな漢字変換中において、文節変換が未確定の文字で、水色に反転表示される文節、「私は」、または「医者に」、若しくは「行きました。」が、含まれた状態となっている。」（１８９頁のヘッダー部右）
「カーソルキー「↑」の操作により、変換・部分確定中（水色反転で表示中）に前候補に変換する。」（５３２頁特殊キー）
　甲第２号証（特公平７−９２７９５号公報）には、次の事項が記載されている。
「入力された文字に対応した変換候補文字を表示手段（７）に順次表示せしめ」（１頁左下欄９行〜１０行）
「オペレータのキー操作数を減らし、入力効率を向上」（１頁右下欄１４行〜１５行）
「キーボード１は図示しない文字入力キー、カーソル移動指示キー、変換キーを有し、」（３頁左欄４４行〜４５行）
「キーボード１のキー押下状態はキー判定部４２で検出され、読みであれば読みバッファ４４にデータは格納され、制御キーであれば所定の制御信号として制御される。」（３頁右欄１行〜３行）
「この変換キー押下により順次変換候補文字が変わり、オペレータは目的の変換文字となると文字入力キーやカーソル移動指示キーなどの他のキーを操作するので、それにより確定検出手段４３は文字変換の確定を検出し、その旨を表示制御部４９へ与える。」（３頁右欄２７行〜３１行）
「オペレータがキーボード１の文字入力キーにより「き」「ょ」「う」を順次入力すると、それらの文字は読みバッファ４４に格納される。」（４頁左欄１５行〜１７行）
　甲第３号証（取消理由通知に引用した刊行物２、特開平５−１０８６１１号公報）には、次の事項が記載されている。
「【０００４】
　本発明の目的は、複数種類の入力手段を備え、入力情報の種類に応じて入力手段を選択して使用し、情報入力時の操作性および利便性を向上することができる情報処理装置を提供することである。」（５頁左欄段落【０００４】）
「【００２３】
　図３は、情報処理装置１の電気的構成を示すブロック図である。メインＣＰＵ（中央演算処理装置）１５は、情報処理装置１全体の動作を制御する。ＲＯＭ（リードオンリメモリ）１６は、各種制御プログラムおよびＣＧを格納する。各種制御プログラムには、文章編集プログラム、手書き認識プログラム、ディスプレイ制御プログラム、ＯＣＲ受信プログラム、手書き入力ボードプログラム、ＯＣＲ入力ボードプログラム、仮名?漢字変換プログラムなどがある。
　【００２４】
　文章編集プログラムは、キーボード５、手書き入力、ＯＣＲ入力によって入力された文字列をキーボードまたは手書き入力によって編集するためのプログラムである。手書き認識プログラムは、操作者がペン１１によってタブレット４Ｔ上に書いたパターン（タブレット４Ｔ上の座標点列）を文字認識して、文字コード（たとえばＪＩＳコードなど）に変換するためのプログラムであり、認識の確からしさによって候補文字、たとえば１０個の候補文字の出力を行う。」（１１頁左欄段落【００２３】及び【００２４】）
「【００２７】
　ＯＣＲ入力ボードプログラムは、操作者がＯＣＲ９を操作することによってＯＣＲ受信プログラムから引渡されてきた文字列（候補を含む）を表示し、候補選択／編集／文章編集プログラムへの引渡しを行うためのプログラムである。仮名?漢字変換プログラムは、仮名文字列を漢字仮名混じり文に変換するためのプログラムである。」（１１頁右欄段落【００２７】）
「【００５８】
　ＯＣＲ入力ボード５５は、ＯＣＲ９によって取込まれた文字列が表示される表示枠５６と、表示枠５６の左右両側に設定され、表示枠５６内のカーソル５７を移動させるカーソルキー群５８，５９と、表示枠５６内のカーソル５７が位置する文字の候補が表示される候補選択部６０と、ＯＣＲ入力モードでの各種機能の実行を指示するファンクションボタン６１と、ＯＣＲ入力ボード５５の表示位置を移動させるボード移動ボタン６２とを含んで構成される。」（１７頁左欄段落【００５８】）
「【００６０】
　ＯＣＲ９側で認識できなかった文字は、表示枠５６内で「？」で表示されており、この文字は編集モードにて訂正する必要がある。したがって、通常は挿入モードであるが、「？」の位置にカーソル５７を移動させることによって自動的に訂正モードとなる。この状態でキーボード５を操作して必要な文字を入力する。」（１７頁左欄段落【００６０】）
「【０１１７】
　ステップｂ５において、文章編集用カーソルに対応するキーコードが出力された場合はステップｂ８に進み、ＯＣＲ入力ボード５５上のカーソル５７を移動した後に再びステップｂ４に戻る。」（１４頁右欄段落【０１１７】）
「【０１１９】
　図２４は、前述の図２３のステップｂ４のＯＣＲ入力ボードルーチンの処理を説明するフローチャートである。ステップｂ４１ではＯＣＲキー３８の押下直後であるかどうかが判断される。判断が肯定ならばステップｂ４２に進み、ＯＣＲ９からの受信待ち状態となる。その後、ステップｂ４３においてＯＣＲからの受信が完了するとステップｂ４４に進み、編集モードに入る。なおＯＣＲ９の動作は後述する。」（１４頁右欄段落【０１１９】）
「【０１２３】
　ステップｂ４４において、「１字抹消／後退」などの文章編集関係のキーが入力されると、表示枠５６内での対応する編集処理が実行される。その後、再びステップｂ４４に戻り、ＯＣＲ入力ボード上でのキー／ペン入力待ち状態に戻る。」（１４頁右欄段落【０１２３】）
「【０１２５】
　ステップｂ４４において、ファンクションボタン６１、カーソルキー群５８，５９、ボード移動ボタン６２が入力されると、ステップｂ４８に進み、入力されたキーに対応するキーコードを出力し、前述の図２３に示すステップｂ５に移行する。」（１５頁左欄段落【０１２５】）
「【０１３１】
　図２７は、前述の図２４のステップｂ４６の処理の一例を示すフローチャートである。ステップｂ８１ではＯＣＲ入力状態でのキー入力状態が設定されている。ステップｂ８２において表示枠５６内のカーソル５７を移動させるためのカーソルキー群５８，５９が押されたかどうかが判断される。カーソルキーが入力された場合は、ステップｂ８３に進みカーソルを移動させる。
 【０１３２】
　ステップｂ８４ではカーソル位置が認識不能文字であるかどうかが判断される。すなわち前述の図６に示すように表示枠内において「？」で示される文字部分にカーソルが位置しているかどうかが判断される。判断が肯定ならばステップｂ８５において挿入／訂正モードフラグを訂正に設定し、その後訂正モードに入る。
 【０１３３】
　ステップｂ８４において判断が否定ならばステップｂ８１に戻り、キー入力待ち状態となる。またステップｂ８２においてカーソルキー以外のキーが入力された場合はステップｂ８６において対応する処理が実行された後に、ステップｂ８１に戻り、キー入力待ち状態となる。」（１５頁左欄段落【０１３１】〜同頁右欄段落【０１３３】）
　エ．対比・判断
　（１）本件発明１について
　本件発明１の「複数あるカーソル移動を許容しない状態の種類と上記操作信号の種類との組合せ毎に記憶する」ことは上記甲第１〜３号証のいずれにも記載も示唆もされておらず、当業者に周知の慣用技術でもない。
　そして、本件発明１は、「複数あるカーソル移動を許容しない状態の種類と上記操作信号の種類との組合せ毎に記憶する」ことにより、キー配置数を少なくでき、キー入力部に必要な面積を小さくでき、同時に他のキーを操作すること若しくは予め他のキーを操作しておくことが不要であるという作用効果を呈するものである。
　したがって、本件発明１は、甲第１〜３号証に記載の発明及び周知の慣用技術に基づいて当業者が容易に発明をすることができたものとすることができないから、特許法第２９条第２項の規定に違反して特許されたものとすることができない。
　（２）本件発明３及び４について
　本件発明３は上記本件発明１を「カーソル移動キーからいずれかの操作信号が与えられたときに、カーソル移動動作が可能な状態と、文字入力に関する他の状態とでは、入力文字列に対する表示態様を異なるようにする」点に、そして本件発明４は上記本件発明１を「文字入力に関する他の状態とは、少なくともかな漢字変換中の未確定文字が存在する状態を含む」点に、それぞれ限定するものであるから、本件発明３及び４は上記「（１）本件発明１について」に記載したと同様の理由により特許法第２９条第２項の規定に違反して特許されたものとすることができない。
　オ．むすび
  以上のとおりであるから、異議申立の理由及び証拠によっては、本件発明１、３及び４についての特許を取り消すことができない。
　また、他に本件発明１、３及び４についての特許を取り消すべき理由を発見しない。
　よって、結論のとおり決定する。
【異議決定日】
平成１５年５月７日（２００３．５．７）
【訂正の要旨】
▲１▼訂正事項ａ
　特許請求の範囲の請求項１を以下のように訂正する。
「　　【請求項１】　複数のカーソル移動キーと、
　所定の順序で配列された複数の候補文字から所望の文字に対応した信号を入力する文字列入力手段と、
　上記文字列入力手段により入力された文字列の現在の入力状態
が、複数あるカーソル移動を許容しない状態のいずれであるか
　
いずれかの
ら操
単独に
以外の複数ある文字入力に関する他の動作のうちのどの
複数あるカーソル移動を許容しない状態の
　
いずれかの
ら操
単独に
　を有することを特徴とする文字入力装置。」
▲２▼訂正事項ｂ
　特許請求の範囲の請求項２を以下のように訂正する。
「　　【請求項２】　
複数のカーソル移動キーと、
　文字指定マークが指向する位置に位置している文字情報を出力する回転可能な円環状の選字ダイヤルを
備えて、所望の文字に対応した信号を入力する文字列入力手段と、
　
上記文字列入力手段により入力された文字列の現在の入力状態を判別する文字列入力状態判別手段と、
　
上記カーソル移動キーからいずれかの操作信号が与えられたときに、カーソル移動動作を実行させるか文字入力に関する他の動作を実行させるかを表す操作対応動作内容を、文字列入力状態の種類と上記操作信号の種類との組合せ毎に記憶している動作内容記憶手段と、
　
上記カーソル移動キーからいずれかの操作信号が与えられたときに、当該操作信号と上記入力状態判別手段で判別された現在の文字列入力状態とで定まる、上記動作内容記憶手段に記憶されている操作対応動作内容に応じた動作を実行させる操作対応動作実行手段とを有し、
　４種類の上記カーソル移動キーを、円環状の上記選字ダイヤルの円環内部に配設したことを特徴とする文字入力装置。」
▲３▼訂正事項ｃ
　特許公報の段落【０００８】の記載を以下の通り訂正する。
「　　【課題を解決するための手段】
　かかる課題を解決するため、本発明の文字入力装置は、（１）　複数のカーソル移動キーと、（２）　所定の順序で配列された複数の候補文字から所望の文字に対応した信号を入力する文字列入力手段と、（３）　上記文字列入力手段により入力された文字列の現在の入力状態
が、複数あるカーソル移動を許容しない状態のいずれであるか
いずれかの
ら操
単独に
以外の複数ある文字入力に関する他の動作のうちのどの
複数あるカーソル移動を許容しない状態の
いずれかの
ら操
単独に
（５４）【発明の名称】
文字入力装置
（５７）【特許請求の範囲】
　【請求項１】　複数のカーソル移動キーと、
　所定の順序で配列された複数の候補文字から所望の文字に対応した信号を入力する文字列入力手段と、
　上記文字列入力手段により入力された文字列の現在の入力状態
が、複数あるカーソル移動を許容しない状態のいずれであるか
　
いずれかの
ら操
単独に
以外の複数ある文字入力に関する他の動作のうちのどの
複数あるカーソル移動を許容しない状態の
　
いずれかの
ら操
単独に
　を有することを特徴とする文字入力装置。
　【請求項２】　
複数のカーソル移動キーと、
　文字指定マークが指向する位置に位置している文字情報を出力する回転可能な円環状の選字ダイヤルを
備えて、所望の文字に対応した信号を入力する文字列入力手段と、
　
上記文字列入力手段により入力された文字列の現在の入力状態を判別する文字列入力状態判別手段と、
　
上記カーソル移動キーからいずれかの操作信号が与えられたときに、カーソル移動動作を実行させるか文字入力に関する他の動作を実行させるかを表す操作対応動作内容を、文字列入力状態の種類と上記操作信号の種類との組合せ毎に記憶している動作内容記憶手段と、
　
上記カーソル移動キーからいずれかの操作信号が与えられたときに、当該操作信号と上記入力状態判別手段で判別された現在の文字列入力状態とで定まる、上記動作内容記憶手段に記憶されている操作対応動作内容に応じた動作を実行させる操作対応動作実行手段とを有し、
　４種類の上記カーソル移動キーを、円環状の上記選字ダイヤルの円環内部に配設したことを特徴とする文字入力装置。
　【請求項３】　請求項１又は２に記載の文字入力装置において、上記カーソル移動キーからいずれかの操作信号が与えられたときに、カーソル移動動作が可能な状態と、文字入力に関する他の状態とでは、入力文字列に対する表示態様を異なるようにしたことを特徴とする文字入力装置。
　【請求項４】　請求項１又は２に記載の文字入力装置において、文字入力に関する他の状態とは、少なくともかな漢字変換中の未確定文字が存在する状態を含むことを特徴とする文字入力装置。
【発明の詳細な説明】
　【０００１】
　【発明の属する技術分野】
　本発明は入力された文字を取込む文字入力装置に関し、例えば、入力文字列に対応した凹凸を印面部材に形成される印章作成装置や、テープに入力文字列を印刷するテープ印刷装置等に適用し得るものである。
　【０００２】
　【従来の技術】
　印章作成装置やテープ印刷装置は、用途が限定されているため低価格が求められており、しかも、１回の動作で印面部材やテープに形成させる文字数が少ないので、キーボードを別個用意することなく、装置本体の筐体に各種のキーを配置するようにしている。
　【０００３】
　また、印章を装着して印面部材に凹凸を形成させる構成や、テープを搬送したりテープに印刷したりする構成に多くの空間を割かれているため、文字の取込みのためのパネル面が小さくならざるを得ず、そのため、入力操作が多少不便ではあるが、キーをできるだけ小さくしたり、ダイヤルキーを用いたり、１個のキーに複数の機能を割当てたりする等の工夫を凝らしている。
　【０００４】
　【発明が解決しようとする課題】
　ここで、一段とキーの配置効率を高めて操作パネル面の占有面積を小さくしようとすると、利用される頻度が高いために単機能だけ割当てられているキーにも、他の機能をも割当てるようにすることが考えられる。
　【０００５】
　１個のキーに複数の機能を割当てた場合には、そのキーと他のキーとを同時に操作したり、そのキーを操作する前に予め所定の他のキーを操作したりして、複数の機能を制御部に弁別させることを要し、操作性が未だ不十分である。
　【０００６】
　キー配置効率を高めた場合には操作性が多少悪くなるというこのような課題は、キーボードが別体として用意されているワードプロセッサやパーソナルコンピュータ等についても同様に言えることである。
　【０００７】
　本発明は、以上の点を考慮してなされたものであり、キー配置効率と操作性とを共に高めることができる文字入力装置を提供しようとしたものである。
　【０００８】
　【課題を解決するための手段】
　かかる課題を解決するため、本発明の文字入力装置は、（１）　複数のカーソル移動キーと、（２）　所定の順序で配列された複数の候補文字から所望の文字に対応した信号を入力する文字列入力手段と、（３）　上記文字列入力手段により入力された文字列の現在の入力状態
が、複数あるカーソル移動を許容しない状態のいずれであるか
いずれかの
ら操
単独に
以外の複数ある文字入力に関する他の動作のうちのどの
複数あるカーソル移動を許容しない状態の
いずれかの
ら操
単独に
　【０００９】
　文字列の現在の入力状態によっては、カーソル移動キーが操作されてカーソルの文字に対する相対的な移動が指示されても、カーソルの移動を受け付けられない。本発明は、この点に鑑み、カーソルの移動を受け付けられない文字列の現在の入力状態におけるカーソル移動キーの操作を、他の文字入力に関する動作指令として受付け、カーソル移動キーに２種類の機能（一つはカーソル移動機能）を対応付けたものである。文字列の現在の入力状態によって、カーソル移動キーが操作された際の動作が定まるので、カーソル移動キーに対応付けた２種類の機能を弁別させるために、同時に他のキーを操作したり、カーソル移動キーの操作前に予め他のキーを操作しておくことは不要である。
　【００１０】
　以上のように、本発明の文字入力装置においては、カーソル移動キーに２種類の機能を対応付けたので、キー配置数を少なくでき、キー入力部に必要な面積を小さくすることができる。
　【００１１】
　【発明の実施の形態】
　以下、本発明による文字入力装置を印章作成装置に適用した一実施形態を図面を参照しながら詳述する。
　【００１２】
　この実施形態の印章作成装置は、大きくは、図２に示す電気的構成部（情報処理部や印影転写制御部など）と、図３に示す機構的光学的構成部（印刷部や光線照射部など）とから構成されている。なお、図３は印章本体の構成をも示している。また、図４には、当該印章作成装置の斜視図を示している。
　【００１３】
　まず、この実施形態の電気的構成部を図２のブロック図及び図４の斜視図を参照しながら説明する。
　【００１４】
　この電気的構成部は、主として、印影模様情報を取り込んで機構的光学的構成部を制御するためのものであって、一種の情報処理装置に該当するものであり、他の情報処理装置と同様に、大きくは、入力部１０、制御部２０及び出力部３０から構成されている。制御部２０は、入力部１０からの情報やその時点の処理段階等に応じた処理を実行し、その処理結果等に応じて出力部３０を介して機構的光学的構成部を制御するものである。
　【００１５】
　入力部１０は、キー入力部１１と、装置の状態を切り換える切換スイッチ１２と、各種の検出センサ群１３とから構成されている。
　【００１６】
　切換スイッチ１２は、例えばダイヤルスイッチで構成されており、電源オン、電源オフ、印章本体（印面部材）への露光起動、印章本体を収容する空間部の蓋体６５の開放を指示したりするものである。検出センサとしては、印章種類を検出するものや、インクリボンの装着を検出するものや、後述する製版シートの装着や位置を検出するものが設けられている。
　【００１７】
　キー入力部１１は、大きくは、文字入力のための一般的な操作信号を出力する選字ダイヤル部１１Ｂと、文字入力以外の機能に係る操作信号や、入力文字の削除や記号文字入力等の文字入力のための特殊な操作信号を出力する機能キー部１１Ａとからなる。
　【００１８】
　ここで、選字ダイヤル部１１Ｂは、図４に示すように、上方から見た場合、中央の円形な部分８０と、その周囲の４分割された円環部分８１〜８４と、さらに、その周囲の円環部分８５とから構成されている。図５は、選字ダイヤル部１１Ａにおける文字割当てや文字入力機能の割当てを示しているものである。なお、図５は、図面の表記上の簡便さから円形、円環状の部分を矩形で示している。
　【００１９】
　最外周の円環部分（以下、選字ダイヤルと呼ぶ）８５は、時計周り及び半時計周りに回転可能なものであり、例えば、周方向に５４分割された角度を単位角として位置決めできるものである。選字ダイヤル８５には、図５に示すように、外周には「あいうえお…」が内周には「ＡＢＣＤＥ…」が印刷されており、文字指定マーク８６が指向する位置の文字信号を制御部２０に送出するものである。なお、同一単位角に割当てられている、例えば「あ」及び「Ａ」についての文字信号は同じものであり、制御部２０は、その時点で内部に保持している文字種信号に応じて「あ」が入力されたか「Ａ」が入力されたかを決定する。
　【００２０】
　内部円環部分の奥側の部分「以下、カーソル上移動キーと呼ぶ」８１は、押下キーとなっており、このカーソル上移動キー８１には、「↑」及び「無変換」という文字が印刷されている。制御部２０は、後で詳述するように、その時点での文字入力状態に応じて、このカーソル上移動キー８１からの操作信号に対して、カーソルの上方向の移動が指示されたか、仮確定文字に対して無変換が指示されたかを決定する。
　【００２１】
　また、内部円環部分の左側の部分「以下、カーソル左移動キーと呼ぶ」８２は、押下キーとなっており、このカーソル左移動キー８２には、「←」及び「小文字」という文字が印刷されている。制御部２０は、後で詳述するように、その時点での文字入力状態に応じて、このカーソル左移動キー８２からの操作信号に対して、カーソルの左方向の移動が指示されたか、選字ダイヤル８５が指示している入力候補文字に対して小文字が指示されたかを決定する。
　【００２２】
　さらに、内部円環部分の手前側の部分「以下、カーソル下移動キーと呼ぶ」８３は、押下キーとなっており、このカーソル下移動キー８３には、「↓」及び「変換　読み短縮」という文字が印刷されている。制御部２０は、後で詳述するように、その時点での文字入力状態に応じて、このカーソル下移動キー８３からの操作信号に対して、カーソルの下方向の移動が指示されたか、未確定文字に対して漢字変換又は読みを短縮した漢字変換が指示されたかを決定する。
　【００２３】
　さらにまた、内部円環部分の奥側の部分「以下、カーソル右移動キーと呼ぶ」８４は、押下キーとなっており、このカーソル右移動キー８４には、「→」及び「あアＡ」という文字が印刷されている。制御部２０は、後で詳述するように、その時点での文字入力状態に応じて、このカーソル右移動キー８４からの操作信号に対して、カーソルの右方向の移動が指示されたか、現在の入力候補文字以降の文字種として「ひらがな」、「カタカナ」又は「アルファベット」が指示されたかを決定する。
　【００２４】
　中央の円形部分「以下、選択改行キーと呼ぶ」８０は、押下キーとなっており、この選択改行キー８０には、「選択」及び「改行」という文字が印刷されている。制御部２０は、後で詳述するように、その時点での文字入力状態に応じて、この選択改行キー８０からの操作信号に対して、入力候補文字の選択が指示されたか、改行が指示されたかを決定する。
　【００２５】
　出力部３０は、後述する機構的光学的構成部の各部を駆動制御する機構的光学的構成部駆動回路群３１と、表示装置３３の駆動回路３２とから構成されており、各駆動回路３１、３２は制御部２０の制御下で対応する構成部分を駆動する。
　【００２６】
　表示装置３３は、図６に示すように、例えば６文字表示可能な液晶ディスプレイ３３Ａと、この液晶ディスプレイ３３Ａの周囲に配置されたＬＥＤでなる複数のインジケータ３３Ｂ−１〜３３Ｂ−ｎとからなる。液晶ディスプレイ３３Ａには、ユーザに対するガイダンスメッセージや、ユーザが入力している文字列が表示される。各インジケータ３３Ｂ−１、…、３３Ｂ−ｎに関連した装置の表面には、そのインジケータに割り当てられている属性や状態を示す文字３３Ｃ−１、…、３３Ｃ−ｎが印刷されており、対応するインジケータ３３Ｂ−１、…、３３Ｂ−ｎの点灯、消灯、点滅によって現在の属性や状態の内容を示すようになされている。
　【００２７】
　この実施形態の場合、文字入力時の表示画面では、基本的には、液晶ディスプレイ３３Ａの５番目の文字表示位置にカーソルを固定表示するカーソル固定表示方式を採用しており、また、選字ダイヤル８５が指示している入力候補文字の表示位置は、液晶ディスプレイ３３Ａの６番目の文字表示位置に定められている。さらに、液晶ディスプレイ３３Ａに対する各文字の表示態様としては、「ポジ表示」と、「ネガ表示」と、これらを繰返す「点滅表示」とがある。「ポジ表示」は確定文字や準確定文字の表示態様であり、「ネガ表示」は仮確定文字の表示態様であり、「点滅表示」は選字ダイヤル８５が指示している入力候補文字の表示態様である。なお、以下では、「ポジ表示」対象の文字（確定文字や準確定文字）を［ポジ文字」と呼び、「ネガ表示」対象の文字（仮確定文字）を「ネガ文字」と呼び、「点滅表示」対象の文字（入力候補文字）を「点滅文字」と呼ぶ。
　【００２８】
　なお、機構的光学的構成部駆動回路群３１は、種々の駆動回路からなっているが、ここではまとめて示している。機構的光学的構成部の要素の内には、後述するように、駆動制御が必要な構成要素が種々あり、実際上は、その各構成要素毎に駆動回路は存在する。
　【００２９】
　制御部２０は、例えばマイクロコンピュータによって構成されており、ＣＰＵ２１、ＲＯＭ２２、ＲＡＭ２３、キャラクタジェネレータＲＯＭ（ＣＧ−ＲＯＭ）２４、入力インタフェース２５及び出力インタフェース２６がシステムバス２７を介して接続されて構成されている。
　【００３０】
　ＲＯＭ２２には、ＣＰＵ２１が実行する文字入力用の処理プログラム（図１参照）を含めた印章作成のための各種の処理プログラムや、かな漢字変換用辞書データ等の固定データが格納されている。
　【００３１】
　ＲＡＭ２３は、ＣＰＵ２１によってワーキングメモリとして用いられるものであり、また、ユーザ入力に係る固定データが格納されるものである。ＲＡＭ２３は、電源オフ時にもバックアップされている。
　【００３２】
　ＣＧ−ＲＯＭ２４は、当該印章作成装置に用意されている文字や記号のドットパターン（フォント）を格納しているものであり、文字や記号を特定するコードデータが与えられたときに対応するドットパターンを出力するものである。
　【００３３】
　入力インタフェース２５は、入力部１０及び制御部２０間のインタフェースを行なうものであり、出力インタフェース２６は、出力部３０及び制御部２０間のインタフェースを行なうものである。
　【００３４】
　ＣＰＵ２１は、入力部１０からの入力信号やそのときの処理段階に応じて定まるＲＯＭ２２内の処理プログラムを、ＲＡＭ２３をワーキングエリアとして利用しながら、また、必要ならばＲＯＭ２２やＲＡＭ２３に格納されている固定データを適宜用いて処理するものであり、その処理状況や処理結果等を表示装置３３に表示させたり、機構的光学的構成部（図３）の各部を駆動して印章を作成させたりする。
　【００３５】
　図７は、入力インタフェース２５が備えているバッファと、ＲＡＭ２３に文字入力用として用意される各種のバッファ等を示したものである。なお、文字入力用のバッファ構成は、これに限定されないことは勿論である。
　【００３６】
　入力インタフェース２５は、選字ダイヤル８５からの文字信号をバッファリングする選字ダイヤルバッファ９０と、押下キー８０〜８５からの操作信号をバッファリングする押下キーバッファ９１とを備えている。ＲＡＭ２３には、かな漢字変換時の漢字候補をバッファリングする漢字候補バッファ９２と、選字ダイヤルバッファ９０にバッファリングされている文字信号を「ひらがな」、「カタカナ」又は「アルファベット」として取込むかの情報をバッファリングしている第１の文字種バッファ９３Ａと、選字ダイヤルバッファ９０にバッファリングされている文字信号を大文字又は小文字として取込むかの情報をバッファリングしている第２の文字種バッファ９３Ｂと、入力された文字列を、各文字が確定文字か準確定文字か未確定文字かの情報と共に格納するテキストエリア９４と、カーソルの位置情報をバッファリングしているカーソル位置バッファ９５と、液晶ディスプレイ３３Ａに表示させる内容をバッファリングしている表示バッファ９６とが用意されている。
　【００３７】
　次に、機構的光学的構成部及び印章本体の構成を、図３を参照しながら説明する。
　【００３８】
　印章本体４０は、棒状の台木４１と、印面部材凸部と紙面とのなじみを高めるためのスポンジ部材４３と、平板状の印面部材４２とから構成されている。印面部材４２は、紫外線に無反応なベース層４２Ａと紫外線硬化樹脂層４２Ｂとからなり、紫外線硬化樹脂層４２Ｂが外部に露出するようになされている。紫外線硬化樹脂層４２Ｂは、硬化した部分以外が所定の液体によって除去できる。
　【００３９】
　図３に示す機構的光学的構成部は、大きくは、印刷構成と紫外線照射構成とからなっている。
　【００４０】
　印刷構成は熱転写方式に従うものであり、固定型印刷ヘッド５０と、プラテンローラ５１と、インクリボン５２と、供給リール５３と、巻取リール５４と、インクリボン５２の進行方向変換用のローラ５５等からなっている。さらには、製版シート（図８参照）の挿入孔５６や、製版シートの排出孔５７や、製版シートの挿入孔５６から挿入された製版シートを印刷位置に案内する案内部材（製版シートの装着や位置を検出する検出センサを含む）５８や、印刷位置から走行されてきたインクリボン５２及び製版シートを分離し、分離された製版シートを排出孔５７に案内する分離機構５９を備えている。
　【００４１】
　製版シート６０は、図８に角形印用のものを示すように、背面に接着剤が塗布されているシート本体６２と、その背面に設けられている剥離紙６１とからなる。製版シート６０は、印章の種類に拘らず、同じ大きさのものであり、印刷開始位置の基準を与える透孔６３Ａ、６３Ｂが対称的に穿設されている。しかし、シート本体６２は、印章の種類によって異なる印面部材４２の外形と同じ形状の部分６２Ａと、その他の部分６２Ｂとにハーフカットにより切り分かれており、部分６２Ａだけを剥せるようになされている。製版シート６０が挿入孔５６から差し込まれたときには、この製版シート６０の端部とインクリボン５２とが重ね合わされて、印刷ヘッド５０及びプラテンローラ５１間の印刷位置に位置する。
　【００４２】
　印刷ヘッド５０は、制御部２０からの制御下で、発熱駆動回路（図２符号３１参照）が駆動動作したときに発熱してインクリボン５２のインクを製版シート６０に転写させるものである。
　【００４３】
　ここで、熱転写方式のインクリボン５２においては、転写された部分はインクがなくなって透明となる。すなわち、転写後のインクリボン５２は、紫外線を透過できる部分（インクが除去された部分）と紫外線の透過を阻止する部分（インクが残っている部分）とからなる。そこで、印影模様を印刷処理し、印影模様に応じた部分が透明となった転写後のインクリボン５２をネガフィルムとして利用することとした。
　【００４４】
　製版時において、印刷ヘッド５０及びプラテンローラ５１でなる印刷部を通過した重ね合わされた状態のインクリボン５２及び製版シート６０は、プラテンローラ５１（又は図示しない駆動ローラ）によって分離機構５９に達し、この分離機構５９によってインクリボン５２及び製版シート６０が分離される。
　【００４５】
　分離された製版シート６０は排出孔５７に送り出される。一方、分離されたインクリボン５２は、印章本体４０の紫外線硬化樹脂層４２Ｂに対向する位置で停止されるようになされている。このような製版時において走行されたインクリボン５２は、巻取リール５４によって巻き取られるようになされている。
　【００４６】
　排出孔５７から排出された製版シート６０における印刷部分６２Ａを剥がして印章本体４０の頂部に張り付けることにより、当該印章本体４０がどのような印面を有するものであるかを視認させることができる。
　【００４７】
　紫外線照射構成として、紫外線照射光源（例えば放物面鏡を有する）７０が例えば固定的に設けられており、制御部２０によって点灯及び消灯が制御される。また、図示しない進退動機構によって進退動する透明板７１が、インクリボン５２を挾んで、印面部材４２の紫外線硬化樹脂層４２Ｂの反対側に設けられている。すなわち、紫外線照射光源７０から射出された紫外線が、透明板７１及びインクリボン（ネガフィルム）５２を介して紫外線硬化樹脂層４２Ｂに達するようになされている。透明板７１は、進動位置（切換スイッチ１２が露光起動を指示しているときにとる位置）でネガフィルムとして機能するインクリボン５２と紫外線硬化樹脂層４２Ｂとの密着性を高め、退動位置でインクリボン５２の走行を邪魔をしないようになされている。
　【００４８】
　透明板７１のインクリボン５２の進行方向の両端部は、例えば丸められており、接触時においてインクリボン５２を傷付けないようになされている。また、透明板７１の丸められている両端部は、一般面より僅かに突出しており、透明板７１が進動してインクリボン５２を印面部材４２と接触させる際に、テンションを高めて密着性を増すように機能する。
　【００４９】
　次に、この実施形態の印章作成装置を用いて印章を作成させるユーザが行なう一般的な手順の流れを説明する。
　【００５０】
　ユーザは、切換スイッチ１２を操作して電源をオンした後、キー入力部１１の各種のキーを操作して印影模様情報（文字列）を入力させる。印影模様情報の入力は、印影を構成する文字列の入力だけでなく、文字の書体や縦書き横書きや文字サイズなどの各種の属性の入力も伴なう。
　【００５１】
　ユーザは、印影模様情報の入力が終了すると、一般的にはキー入力部１１のレイアウト表示キーを操作してレイアウト表示を実行させ、印影が所望するものであるか否かを確認する。レイアウト表示によって、印影の妥当性を確認したユーザは、製版シート６０を挿入孔５６から突き当たるまで挿入した後、キー入力部１１の製版キーを操作して、製版処理を実行させて、インクリボン５２にネガフィルムを作成させる。ＣＰＵ２１は、製版キーが操作されたときには、入力文字列に係る各種の属性に応じて、入力文字列をＲＡＭ２３上の印刷バッファに展開した後、印刷ヘッド５０やプラテンローラ５１などを駆動して印刷を実行させてネガフィルムを作成し、そのネガフィルムを印面部材４２の対向位置まで搬送させる。
　【００５２】
　製版処理が終了すると、ユーザは、切換スイッチ１２を操作して露光を指示する。ＣＰＵ２１は、紫外線照射光源７０を起動して紫外線を印面部材４２に照射させ、この際、装着されている印章本体４０の種類に応じて定まる照射時間が経過するまで照射を継続させ、所定の照射時間の経過時に露光終了メッセージを表示させると共に、紫外線照射光源７０からの紫外線の照射を停止させる。このような露光処理によって、印面部材４２の紫外線硬化樹脂層４２Ｂは、印影模様に応じた部分だけが硬化する。
　【００５３】
　露光が終了すると、ユーザは、切換スイッチ１２を操作して蓋体６５の開放を指示し、蓋体６５が開放されると、露光済みの印章本体４０を取り出す。その後、所定液体（例えば水）を収容している容器に、取り出した印章本体４０の印面部材４２を浸漬させて往復動させて洗うことにより、非硬化部分を除去させて印面部材４２に凹凸を形成させる。その後、布等で所定液体を印章本体４０から拭き取ることにより、印章を完成させる。
　【００５４】
　本発明は、文字入力動作時において、選字ダイヤル部１１Ｂ内の押下キー８０〜８５（特に８１〜８４）が押下された場合の処理に特徴を有するものである。以下、図１を参照しながら、このときのＣＰＵ２１の処理を説明する。
　【００５５】
　選字ダイヤル部１１Ｂ内のいずれかの押下キー８０、…、８５が押下されたときには、その操作信号が押下キーバッファ９１にバッファリングされると共に、入力インタフェース２５からＣＰＵ２１に通知される。
　【００５６】
　このとき、ＣＰＵ２１は図１（ａ）に示す処理を開始し、まず、いずれの押下キーが操作されたかを判別し（ステップ１００）、また、ＲＡＭ２３内のテキストエリア９４の格納内容等に基づいて、現在の文字入力状態を認識する（ステップ１０１）。そして、ＣＰＵ２１は、判別した操作キーと、認識した文字入力状態とで定まる動作を実行する（ステップ１０２）。
　【００５７】
　カーソル移動キーは、文字入力動作で頻繁に用いられるので、従来においては、カーソル移動機能以外の機能を割当てたものはない。この実施形態は、文字入力状態によっては、カーソル移動キーが操作されてカーソルの文字に対する相対的な移動が指示されてもカーソルの移動を受け付けられないことがあることに着目し、図１（ａ）に示す処理により、カーソル移動キーが操作された場合に、文字入力状態に応じて、「カーソル移動動作」又は「他の動作」を実行させることとしている。
　【００５８】
　図１（ｂ）は、ステップ１００の判別により、カーソル上移動キー８５が操作されたという結果を得た場合のステップ１０１及び１０２の詳細処理を示すフローチャートである。
　【００５９】
　まず、ＣＰＵ２１は、ネガ文字がテキストエリア９４に存在するか否かを判別する（ステップ２００）。ネガ文字は、上述したように仮確定文字であり、この実施形態の場合、ひらがなだけがネガ文字となり得、無変換指令により準確定文字に変化し、変換指令により漢字変換の対象となるものである。
　【００６０】
　ネガ文字が存在しない場合には、ＣＰＵ２１はポジ文字がテキストエリア９４に存在するか否かを判別する（ステップ２０１）。ポジ文字は、上述したように確定文字又は準確定文字であり、確定文字の場合はこれ以上の変更があり得ないものである。なお、準確定文字は、無変換指令により「ひらがな」及び「カタカナ」間の変更を行なう状態のものであり、「ひらがな」及び「カタカナ」でも既に確定文字になっている場合には、これ以上の変更があり得ない。
　【００６１】
　ネガ文字もポジ文字を存在しないことが判別されると、カーソルの上方向の移動も無変換も受付けられない文字入力状態でカーソル上移動キー５１が操作されたので、点滅文字の存在の有無に関係なく、ＣＰＵ２１は警告を発し（ステップ２０２）、操作に応じられないことを報知して操作前の状態に復帰させる。この際には、押下キーバッファ９１をクリアする。
　【００６２】
　一方、ネガ文字が存在しないがポジ文字が存在する場合には、ＣＰＵ２１は、点滅文字がテキストエリア９４に存在するか否かを判別する（ステップ２０３）。点滅文字がテキストエリア９４に存在しない場合には、直ちに、カーソルの上方向への移動動作（カーソル固定表示方式を採用しているので、表示文字列の行が１行上のものとなる）を行ない（ステップ２０４）、点滅文字がテキストエリア９４に存在する場合には、点滅文字の消滅を伴ったカーソルの上方向への移動動作を行ない（ステップ２０５）、当該操作に対する処理を終了する。この際には、押下キーバッファ９１をクリアする。
　【００６３】
　なお、点滅文字は、上述したように選字ダイヤル８５が指示している文字であり、それを入力するか否かは明確ではない。そこで、ステップ２０５において、点滅文字の消滅を行なうこととした。
　【００６４】
　上述のカーソル上移動動作では、カーソル位置バッファ９５の内容が更新され、表示バッファ９６も更新される。また、点滅文字の消滅があればテキストエリア９４も更新され、準確定文字のポジ文字がであればこのカーソル移動時にテキストエリア９４内のその文字が確定文字に更新される。
　【００６５】
　なお、準確定文字が存在する１行目でのカーソル上移動動作は、「ひらがな」及び「カタカナ」間の変更動作に置き換えても良い。
　【００６６】
　ネガ文字が存在する場合は、ＣＰＵ２１は、点滅文字がテキストエリア９４に存在するか否かを判別する（ステップ２０５）。点滅文字がテキストエリア９４に存在しない場合には、直ちに無変換動作を行ない（ステップ２０６）、点滅文字がテキストエリア９４に存在する場合には、点滅文字の消滅を伴った無変化動作を行ない（ステップ２０７）、当該操作に対する処理を終了する。この際には、押下キーバッファ９１をクリアする。
　【００６７】
　無変換動作は、ネガ文字をポジ文字に変換する動作であり、この場合のポジ文字は準確定文字となる。この無変換動作には、テキストエリア９４や表示バッファ９６が更新される。
　【００６８】
　他の押下キー８０、８２、８３、８４が操作された場合にも、上述したように、ＣＰＵ２１は、その操作キーと、文字入力状態とで定まる動作を実行する。図９は、操作キーと、文字入力状態と、動作との関係を整理して示す図表である。なお、選択改行キー８０の操作時の動作内容の説明は省略する。
　【００６９】
　カーソル下移動キー８３が操作された場合には、詳述は避けるが、かな漢字変換動作もカーソル下移動動作も受付けられない文字入力状態では警告を発し、それ以外のカーソル下移動動作を受付けられない文字入力状態ではかな漢字変換動作を実行し、その他の文字入力状態でカーソル下移動動作を実行する。なお、かな漢字変換動作では、漢字候補は漢字候補バッファ９２に格納され、また、表示バッファ９６にはこの漢字候補バッファ９２の漢字候補が表示され、ユーザによる選択指令を待ち受ける。
　【００７０】
　また、カーソル左移動キー８２が操作された場合には、詳述は避けるが、小文字変換（アルファベット入力時の大文字復帰を含む）動作もカーソル左移動動作も受付けられない文字入力状態では警告を発し、それ以外のカーソル左移動動作を受付けられない文字入力状態では小文字変換動作を実行し、その他の文字入力状態でカーソル左移動動作を実行する。なお、ひらがな又はカタカナ入力時（第１の文字種バッファ９３Ａにより分かる）の小文字変換動作では、カーソルが位置している文字だけを小文字に変換する。一方、アルファベット入力時（第１の文字種バッファ９３Ａにより分かる）の小文字変換動作では、第２の文字種バッファ９３Ｂの内容を「小文字」及び「大文字」間で逆にし、それ以降の文字入力にも反映させる。
　【００７１】
　さらに、カーソル右移動キー８４が操作された場合には、詳述は避けるが、ひらがな、カタカナ、アルファベット間を切り替えるあアＡ変換動作もカーソル右移動動作も受付けられない文字入力状態では警告を発し、それ以外のカーソル右移動動作を受付けられない文字入力状態ではあアＡ変換動作を実行し、その他の文字入力状態でカーソル右移動動作を実行する。なお、あアＡ変換動作では、第１の文字種バッファ９３Ａの内容を、動作毎に、「ひらがな」、「カタカナ」、「アルファベット」を巡回的に切り替える。
　【００７２】
　図１０は、操作と、液晶ディスプレイ３３Ａの表示内容との変化例を示すものである。
　【００７３】
　今、図１０（ａ）に示すように、「あいうえお」がネガ文字で表示されているとする。この状態で、カーソル左移動キー８２が２回操作されたとする。ここでは、ネガ文字しか存在しないので、ＣＰＵ２１は、この操作信号をカーソル左移動指令として受付け、左移動動作を実行させる。従って、表示は、図１０（ｂ）に示すようになる。
　【００７４】
　なお、図１０における数字を囲んだ記号（行頭マーク）の表示は、現在の行番号とその先頭であることを示しており、白抜きが確定文字又は準確定文字（ネガ文字）がその行に存在していることを表している。
　【００７５】
　図１０（ｂ）に示す状態でカーソル上移動キー８１が１回操作されたとする。この状態では、ネガ文字しか存在しないので、ＣＰＵ２１は、この操作信号を無変換指令として受付け、図１０（ｃ）に示すように、カーソルより左側の変換対象のネガ文字をポジ文字表示させる。また、行頭マークを白抜き表示に変更させる。
　【００７６】
　図１０（ｃ）に示す表示状態でカーソル右移動キー８４が２回操作されたとする。ここでは、ネガ文字及びポジ文字が存在し、点滅文字は存在しないので、ＣＰＵ２１は、この操作信号をカーソル右移動指令として受付け、右移動動作を実行させる。従って、表示は、図１０（ｄ）に示すようになる。
　【００７７】
　上記実施形態によれば、カーソルの移動を受け付けられない文字入力状態におけるカーソル移動キーの操作を、他の文字入力に関する動作指令として受付け、カーソル移動キーに２種類の機能（一つはカーソル移動機能）を対応付けたので、キー配置数を少なくでき、キー入力部に必要な面積を小さくすることができる。かくするにつき、カーソル移動キーに対応付けた２種類の機能を弁別させるために、同時に他のキーを操作したり、カーソル移動キーの操作前に予め他のキーを操作しておくことは不要である。
　【００７８】
　また、上記実施形態によれば、４種類のカーソル移動キー８１〜８４を、円環状の選字ダイヤル８５の円環内部に配設したので、この点からもキー入力部に必要な面積を小さくすることができる。
　【００７９】
　さらに、上記実施形態によれば、図９に示すうように、４種類のカーソル移動キー８１〜８４の動作を割当てているので、各カーソル移動キーの操作回数のバランスがとれており、この点で装置寿命を向上させている。すなわち、印章作成装置の場合には入力行数が少ないので、上下へのカーソル移動の発生頻度が左右のカーソル移動の発生頻度より少なく、また、変換、無変換動作の発生頻度に比べて文字種（大文字及び小文字間、あアＡ間）の切替動作の発生頻度より少ないので、各カーソル移動キーの操作回数のバランスがとれている。
　【００８０】
　なお、本発明の文字入力装置の適用装置は、印章作成装置に限定されるものではなく、カーソル移動キーを有する他の装置に適用することができる。本発明は、入力パネル面が小さい装置に適用して好適なものであるが、パソコンやワープロ等のキーボードを別個有する装置にも適用できる。すなわち、選字ダイヤルを有しない装置にも適用できる。
　【００８１】
　【発明の効果】
　以上のように、本発明の文字入力装置によれば、カーソル移動キーに２種類の機能（一つはカーソル移動機能）を対応付けることができ、キー配置数を少なくでき、キー入力部に必要な面積を小さくすることができ、しかも、カーソル移動キーに対応付けた２種類の機能を弁別させるために、同時に他のキーを操作したり、カーソル移動キーの操作前に予め他のキーを操作しておくことを不要にできる。
【図面の簡単な説明】
　【図１】
　実施形態のカーソル移動キーの操作時の処理フローチャートである。
　【図２】
　実施形態の電気的構成部を示すブロック図である。
　【図３】
　実施形態の機構的光学的構成部を示す配置図である。
　【図４】
　実施形態の外観構成例を示す斜視図である。
　【図５】
　実施形態の選字ダイヤル部１１Ｂの概略平面図である。
　【図６】
　実施形態の表示装置３３の平面図である。
　【図７】
　実施形態の文字入力時のＲＡＭ２３のバッファ等の構成図である。
　【図８】
　実施形態の製版シート６０の説明図である。
　【図９】
　実施形態のカーソル移動キーの操作時の動作説明図である。
　【図１０】
　実施形態の操作に応じた表示内容の変化例を示す説明図である。
　【符号の説明】
　１０…入力部、１１…キー入力部、２０…制御部、２１…ＣＰＵ、２２…ＲＯＭ、２３…ＲＡＭ、３０…出力部、８５…選字ダイヤル、８１…カーソル上移動キー、８２…カーソル左移動キー、８３…カーソル下移動キー、８４…カーソル右移動キー。